(57)【要約】【課題】    送り孔付連続用紙を使用する画像形成装置において、画像記録に使用する連続用紙の交換作業に要する時間を短縮すること。【解決手段】第１連続用紙Ｐ１の用紙幅方向両端部の送り孔Ｐｃに嵌合して回転するトラクタピン６ａを有し前記第１連続用紙Ｐ１を画像記録位置Ｑ１および排出トレイＴｈに順次搬送する複数の第１トラクタＫ１と、第２連続用紙Ｐ２の用紙幅方向両端部の送り孔Ｐｃに嵌合して回転するトラクタピンを有し前記第２連続用紙Ｐ２を前記画像記録位置Ｑ１および排出トレイＴｈに順次搬送する複数の第２トラクタＫ２とを有する連続用紙搬送装置ＳＨと、前記画像記録位置Ｑ１を通過する第１連続用紙Ｐ１および前記第２連続用紙Ｐ２にそれぞれ画像を記録可能な同一の画像記録部材Ｔｒとを有する画像形成装置。【選択図】図３
2006051755.tif 000002
【特許請求の範囲】
【請求項１】
下記の構成要件（Ａ01），（Ａ02）を備えた画像形成装置、
（Ａ01）第１連続用紙の用紙幅方向両端部の送り孔に嵌合して回転するトラクタピンを有し前記第１連続用紙を画像記録位置および排出トレイに順次搬送する複数の第１トラクタと、第２連続用紙の用紙幅方向両端部の送り孔に嵌合して回転するトラクタピンを有し前記第２連続用紙を前記画像記録位置および排出トレイに順次搬送する複数の第２トラクタとを有する連続用紙搬送装置、
（Ａ02）前記画像記録位置を通過する第１連続用紙および前記第２連続用紙にそれぞれ画像を記録可能な同一の画像記録部材。
【請求項２】
下記の構成要件（Ａ03）を備えた請求項１記載の画像形成装置、
（Ａ03）前記第１連続用紙および第２連続用紙を互いに独立して搬送可能な前記連続用紙搬送装置。
【請求項３】
下記の構成要件（Ａ04）を備えた請求項１または２記載の画像形成装置、
（Ａ04）用紙幅方向の位置を調節可能な前記第１トラクタまたは第２トラクタ。
【請求項４】
下記の構成要件（Ａ05）を備えた請求項１ないし３のいずれか記載の画像形成装置、
（Ａ05）前記画像記録位置における第１連続用紙および第２連続用紙の用紙幅方向の位置が重なるように配置された前記第１トラクタおよび前記第２トラクタ。
【請求項５】
下記の構成要件（Ａ06）を備えた請求項４記載の画像形成装置、
（Ａ06）第１連続用紙および第２連続用紙のうちの一方の連続用紙を前記画像記録位置の用紙搬送方向上流側に退避させた状態で、他方の連続用紙のみを前記画像記録位置および排出トレイに順次搬送可能な前記連続用紙搬送装置。
【請求項６】
下記の構成要件（Ａ07）を備えた請求項１ないし３のいずれか記載の画像形成装置、
（Ａ07）前記画像記録位置における第１連続用紙および第２連続用紙の用紙幅方向の位置が重ならないように配置された前記第１トラクタおよび前記第２トラクタ。
【請求項７】
下記の構成要件（Ａ08）を備えた請求項６記載の画像形成装置、
（Ａ08）第１連続用紙および第２連続用紙を同時に前記画像記録位置および排出トレイに順次搬送可能な前記連続用紙搬送装置。
【発明の詳細な説明】
【技術分野】
【０００１】
本発明は送り孔付連続用紙に画像を形成する画像形成装置に関する。
【背景技術】
【０００２】
前記送り孔付連続用紙を使用する画像形成装置としては、次の特許文献１，２が従来公知である。
（特許文献１：特開２００２−１０８１２２号公報）
この特許文献１に記載された画像形成装置は、作造動作が停止すると、連続用紙の搬送を停止して印字待機状態となり、印字待機時間が一定時間を超えると、連続用紙を前方に搬送して未定着のトナーを定着し、定着終了後、連続用紙を後退させて元の印字待機状態に復帰させる用紙搬送処理が行われている。
【０００３】
（特許文献２：特開平７−１４４４５０号公報）
この特許文献２には、連続用紙の搬送中に、用紙幅方向に変移可能なトラクタが記載されている。
【０００４】
【特許文献１】特開２００２−１０８１２２号公報
【特許文献２】特開平７−１４４４５０号公報
【発明の開示】
【発明が解決しようとする課題】
【０００５】
前記従来技術の画像形成装置では、現在装着されている連続用紙とは異なる別の連続用紙を使う場合、トラクタに別の用紙を掛け替える必要があった。  このため、画像記録用紙の交換作業に要する時間が長くなるという問題点があった。
【０００６】
本発明は前記事情に鑑み、次の記載内容（Ｏ01）を技術的課題とする。
（Ｏ01）送り孔付連続用紙を使用する画像形成装置において、画像記録に使用する連続用紙の交換作業に要する時間を短縮すること。
【課題を解決するための手段】
【０００７】
次に、前記課題を解決するために案出した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００８】
（本発明）
前記課題を解決するために本発明の画像形成装置は、下記の構成要件（Ａ01），（Ａ02）を備えたことを特徴とする。
（Ａ01）第１連続用紙（Ｐ１，Ｐ３）の用紙幅方向両端部の送り孔（Ｐｃ）に嵌合して回転するトラクタピン（６ａ）を有し前記第１連続用紙（Ｐ１，Ｐ３）を画像記録位置および排出トレイに順次搬送する複数の第１トラクタ（Ｋ１，Ｋ1）と、第２連続用紙（Ｐ２，Ｐ４）の用紙幅方向両端部の送り孔（Ｐｃ）に嵌合して回転するトラクタピン（６ａ）を有し前記第２連続用紙（Ｐ２，Ｐ４）を前記画像記録位置および排出トレイに順次搬送する複数の第２トラクタ（Ｋ２，Ｋ２）とを有する連続用紙搬送装置（ＳＨ）、
（Ａ02）前記画像記録位置（Ｑ１）を通過する第１連続用紙（Ｐ１，Ｐ３）および前記第２連続用紙にそれぞれ画像を記録可能な同一の画像記録部材。
【０００９】
（本発明の作用）
前記構成要件（Ａ01），（Ａ02）を備えた本発明の画像形成装置では、第１連続用紙（Ｐ１，Ｐ３）の用紙幅方向両端部の送り孔（Ｐｃ）に嵌合して回転するトラクタピン（６ａ）を有する複数の第１トラクタ（Ｋ１，Ｋ1）は、前記第１連続用紙（Ｐ１，Ｐ３）を画像記録位置および排出トレイに順次搬送する。第２連続用紙の用紙幅方向両端部の送り孔（Ｐｃ）に嵌合して回転するトラクタピン（６ａ）を有する複数の第２トラクタ（Ｋ２，Ｋ２）は前記第２連続用紙（Ｐ２，Ｐ４）を前記画像記録位置および排出トレイに順次搬送する。
同一の画像記録部材は、前記画像記録位置（Ｑ１）を通過する第１連続用紙（Ｐ１，Ｐ３）および前記第２連続用紙（Ｐ２，Ｐ４）にそれぞれ画像を記録する。
【００１０】
（本発明の形態１）
本発明の形態１の画像形成装置は、前記本発明において下記の構成要件（Ａ03）を備えたことを特徴とする。
（Ａ03）前記第１連続用紙（Ｐ１，Ｐ３）および第２連続用紙（Ｐ２，Ｐ４）を互いに独立して搬送可能な前記連続用紙搬送装置（ＳＨ）。
（本発明の形態１の作用）
前記構成要件（Ａ03）を備えた本発明の形態１の画像形成装置では、前記連続用紙搬送装置（ＳＨ）は、前記第１連続用紙（Ｐ１，Ｐ３）および第２連続用紙（Ｐ２，Ｐ４）を互いに独立して搬送する。従って、複数の連続用紙が装着された状態で、片方の用紙だけの吸入（前方搬送）／退避（後方搬送）が可能となる。
【００１１】
（本発明の形態２）
本発明の形態２の画像形成装置は、前記本発明または本発明の形態１の画像形成装置において下記の構成要件（Ａ04）を備えたことを特徴とする。
（Ａ04）用紙幅方向の位置を調節可能な前記第１トラクタ（Ｋ１，Ｋ１）または第２トラクタ（Ｋ２，Ｋ２）。
（本発明の形態２の作用）
前記構成要件（Ａ04）を備えた本発明の形態２の画像形成装置では、前記第１トラクタ（Ｋ１，Ｋ１）または第２トラクタ（Ｋ２，Ｋ２）は、用紙幅方向の位置を調節可能である。したがって、種々の幅の用紙に画像を形成することが可能である。第１トラクタ（Ｋ１，Ｋ１）により搬送される第１連続用紙（Ｐ１）の幅と第２トラクタ（Ｋ２，Ｋ２）により搬送される第２連続用紙（Ｐ２）の幅とを合わせた用紙幅が、前記画像記録位置（Ｑ１）の幅以下である場合には、前記第１連続用紙（Ｐ１）および第２連続用紙（Ｐ２）を同時に平行に搬送しながら、同時に画像形成を行うことができる。
また、第１トラクタ（Ｋ１，Ｋ１）により搬送される第１連続用紙（Ｐ１，Ｐ３）と第２トラクタ（Ｋ２，Ｋ２）により搬送される第２連続用紙（Ｐ２，Ｐ４）とは一方の連続用紙を退避させた状態で他方の連続用紙を使用して画像形成を行うことができる。前記画像形成に使用する連続用紙と退避させる連続用紙との交換は容易に行うことが可能である。
【００１２】
（本発明の形態３）
本発明の形態３の画像形成装置は、前記本発明または本発明の形態１もしくは２において、下記の構成要件（Ａ05）を備えたことを特徴とする。
（Ａ05）前記画像記録位置（Ｑ１）における第１連続用紙（Ｐ３）および第２連続用紙（Ｐ４）の用紙幅方向の位置が重なるように配置された前記第１トラクタ（Ｋ１，Ｋ１）および前記第２トラクタ（Ｋ２，Ｋ２）。
（本発明の形態３の作用）
前記構成要件（Ａ05）を備えた本発明の形態３の画像形成装置では、前記第１トラクタ（Ｋ１，Ｋ１）および前記第２トラクタ（Ｋ２，Ｋ２）は、前記画像記録位置（Ｑ１）における第１連続用紙（Ｐ３）および第２連続用紙（Ｐ４）の用紙幅方向の位置が重なるように配置される。
この場合、第１トラクタ（Ｋ１，Ｋ１）により搬送される第１連続用紙（Ｐ３）と第２トラクタ（Ｋ２，Ｋ２）により搬送される第２連続用紙（Ｐ４）とは一方の連続用紙を退避させた状態で他方の連続用紙を使用して画像形成を行うことができる。前記画像形成に使用する連続用紙と退避させる連続用紙との交換は容易に行うことができる。
【００１３】
（本発明の形態４）
本発明の形態４の画像形成装置は、前記本発明の形態３において、下記の構成要件（Ａ06）を備えたことを特徴とする。
（Ａ06）第１連続用紙（Ｐ３）および第２連続用紙（Ｐ４）のうちの一方の連続用紙を前記画像記録位置（Ｑ１）の用紙搬送方向上流側に退避させた状態で、他方の連続用紙のみを前記画像記録位置（Ｑ１）および排出トレイ（Ｔｈ）に順次搬送可能な前記連続用紙搬送装置（ＳＨ）。
（本発明の形態４の作用）
前記構成要件（Ａ06）を備えた本発明の形態４の画像形成装置では、連続用紙搬送装置（ＳＨ）は、第１連続用紙（Ｐ１，Ｐ３）および第２連続用紙（Ｐ２，Ｐ４）のうちの一方の連続用紙を前記画像記録位置（Ｑ１）の用紙搬送方向上流側に退避させた状態で、他方の連続用紙のみを前記画像記録位置（Ｑ１）および排出トレイ（Ｔｈ）に順次搬送することができる。
【００１４】
（本発明の形態５）
本発明の形態５の画像形成装置は、前記本発明または本発明の形態１もしくは２において、下記の構成要件（Ａ07）を備えたことを特徴とする。
（Ａ07）前記画像記録位置（Ｑ１）における第１連続用紙（Ｐ１）および第２連続用紙（Ｐ２）の用紙幅方向の位置が重ならないように配置された前記第１トラクタ（Ｋ１，Ｋ１）および前記第２トラクタ（Ｋ２，Ｋ２）。
（本発明の形態５の作用）
前記構成要件（Ａ07）を備えた本発明の形態５の画像形成装置では、前記第１トラクタ（Ｋ１，Ｋ１）および前記第２トラクタ（Ｋ２，Ｋ２）は、前記画像記録位置（Ｑ１）における第１連続用紙（Ｐ１）および第２連続用紙（Ｐ２）の用紙幅方向の位置が重ならないように配置される。この場合、前記第１連続用紙（Ｐ１）および第２連続用紙（Ｐ２）を同時に平行に搬送しながら、前記各連続用紙（Ｐ１，Ｐ２）上に同時に画像記録を行うことができる。
【００１５】
（本発明の形態６）
本発明の形態６の画像形成装置は、前記本発明の形態５において、下記の構成要件（Ａ08）を備えたことを特徴とする。
（Ａ08）第１連続用紙（Ｐ１）および第２連続用紙（Ｐ２）を同時に前記画像記録位置（Ｑ１）および排出トレイ（Ｔｈ）に順次搬送可能な前記連続用紙搬送装置（ＳＨ）。
（本発明の形態６の作用）
前記構成要件（Ａ08）を備えた本発明の形態６の画像形成装置では、前記連続用紙搬送装置（ＳＨ）は、第１連続用紙（Ｐ１）および第２連続用紙（Ｐ２）を同時に前記画像記録位置（Ｑ１）および排出トレイ（Ｔｈ）に順次搬送することができる。
【発明の効果】
【００１６】
前述の本発明の画像形成装置は、下記の効果（Ｅ01）を奏する。
（Ｅ01）送り孔付連続用紙を使用する画像形成装置において、画像記録に使用する連続用紙の交換作業に要する時間を短縮することができる。
【発明を実施するための最良の形態】
【００１７】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００１８】
図１は本発明の実施例１の送り孔付き連続用紙搬送装置を備えた画像形成装置の要部説明図で、可動フレームＫＦが上方位置に移動した状態の要部正面図である。
図１において、画像形成装置Ｕは、トナー像が形成される感光体ＰＲを有している。回転する感光体ＰＲの表面は、帯電ロールＣＲにより一様に帯電される。前記帯電した感光体ＰＲ表面は、レーザダイオードＬＤと回転多面鏡ＫＫを有する光学系とを有するＲＯＳ（潜像形成装置）が出射するレーザビームＬにより静電潜像が形成される。前記静電潜像は現像器Ｄによりトナー像に現像される。前記トナー像は、転写ロール（画像記録部材）Ｔｒに対向する転写領域Ｑ１を通過するシートに転写される。前記転写後の感光体ＰＲ表面の残留トナーはクリーナＣＬによりクリーニングされる。
【００１９】
図１において、可動フレームＫＦは、画面に垂直方向に離れて配置された前プレートＦ１および後プレートＦ２（図３Ｂ参照）と、前記両プレートＫＦ１，ＫＦ２を連結する連結プレート（図示せず）とを有しており、回動軸ＫＦａ回りに回動可能である。前記可動フレームＫＦには軸ＫＦｂが回転可能に支持されており、軸ＫＦｂの下面にカムＣの外周面が当接されている。カムＣのカム軸Ｃａは固定フレーム（図示せず）により回転可能に支持されている。カム軸Ｃａは可動フレーム上下動モータＭ１により回転可能である。図１の状態ではカムＣは前記軸ＫＦｂを上昇させており、この状態では、前記可動フレームＫＦは前記回動軸ＫＦａ回りに回動して上昇位置に保持されている。
【００２０】
前記可動フレームＫＦには、用紙搬送ベルトＢを回転可能に支持する駆動ロールＲｄ、従動ロールＲｆ、テンションロールＲｔおよび転写ロールＴｒが回転可能に支持されている。前記駆動ロールＲｄを回転することにより、用紙搬送ベルトＢを回転させることができる。用紙搬送ベルトＢは、転写ロールＴｒに前記感光体ＰＲ表面に圧接されている。そして、用紙搬送ベルトＢと感光体ＰＲとの圧接領域により前記転写領域Ｑ１が形成されている。
【００２１】
（用紙フィード用のトラクタ）
図２は前記図１、図３に示すトラクタの説明図で、図２Ａはトラクタにより連続シートを搬送する状態を示す図、図２Ｂは前記図２Ａに示すトラクタの側面図である。
図１、図２において、可動フレームＫＦの前フレームＦ１、後フレームＦ２には第１回転軸Ａ１ｄ、第２回転軸Ａ２ｄが回転可能に支持され、第１固定軸Ａ１ｒ、第２固定軸Ａ２ｒが固定支持されている。前記第１回転軸Ａ１ｄおよび第１固定軸Ａ１ｒにより一対のトラクタＫ，Ｋ１が軸方向に位置調節可能に支持されている。また、前記第２回転軸Ａ２ｄおよび第２固定軸Ａ２ｒにより一対のトラクタＫ２，Ｋ２が軸方向に位置調節可能に支持されている。
図１において、前記一対のトラクタＫ１，Ｋ１は給紙トレイＴＲ１に収容された連続用紙Ｐ１を搬送するために使用され、前記一対のトラクタＫ２，Ｋ２は給紙トレイＴＲ２に収容された連続用紙Ｐ２を搬送するために使用される。
【００２２】
図２Ａにおいて、送り孔付き連続用紙Ｐ１の用紙先端はＰ１ａで示されている。送り孔付き連続用紙Ｐには、用紙搬送方向に所定間隔離れる毎に折り線（直線に沿って小さい孔（またはスリット等）が形成された部分）Ｐ１ｂが形成されている。また、送り孔付き連続用紙Ｐの用紙幅方向両側には用紙搬送方向に沿って一定間隔ａで且つ用紙搬送方向同一位置に送り孔Ｐ１ｃが形成されている。
【００２３】
図２Ａにおいて、前記用紙幅方向に離れて配置された前後一対のトラクタＫ１，Ｋ１の中の前側（Ｘ側）のトラクタＫ１は固定軸Ａ１ｒに固定支持されている。後側（−Ｘ側）のトラクタＫ１は固定軸Ａ１ｒおよび回転軸Ａ１ｄ上にスライド可能且つ固定可能に支持されており、使用される連続用紙の幅に応じて固定軸Ａ１ｒ上で位置調節可能である。
各トラクタＫ１，Ｋ１はトラクタフレーム１を有している。トラクタフレーム１には軸受２，３が装着されており、前記回転軸Ａ１ｄ、固定Ａ１ｒは前記軸受２，３により前記トラクタフレーム１に対して回転可能に支持されている。
【００２４】
前記回転軸Ａ１ｄ、固定軸Ａ１ｒにはそれぞれタイミングプーリ４，５が装着されている。前記トラクタフレーム１と前記軸受２，３と、前記タイミングプーリ４，５とにより、ピンベルト（ピン付き回転体）６を回転可能に支持するベルト支持部材（回転体支持部材）（１〜５）が構成されている。図２Ａ、図２Ｂにおいて、ピンベルト（ピン付き回転体）６の外周には複数のトラクタピン６ａが一定間隔ａで設けられている。前記トラクタピン６ａは前記送り孔Ｐｂに嵌合可能である。
【００２５】
図２において、前記各トラクタＫ１，Ｋ１の回転軸Ａ１ｄとプーリ４とは一体的に回転する。前記後側のトラクタＫ１のタイミングプーリ５は固定軸Ａ１ｒに対して回転自由であり、前記前側のトラクタＫ１のタイミングプーリ５はギヤＧ１ａ（図２Ａ参照）と一体的に構成されており、タイミングプーリ５およびギヤＧ１ａは前記固定軸Ａ１ｒに電磁クラッチＣ１ａを介して連結されている。電磁クラッチＣ１ａがオフの状態では、前側のトラクタＫ１のタイミングプーリ５およびギヤＧ１ａは、固定軸Ａ１ｒに対して回転自由であるが、電磁クラッチＣ１ａがオンの状態では、前側のトラクタＫ１のタイミングプーリ５およびギヤＧ１ａは、固定軸Ａ１ｒに対して回転不能に連結される。
回転軸Ａ１ｄの前端に固定したギヤＧ１ｂは、回転軸Ａ１ｄと一体的に回転する。前記回転軸Ａ１ｄの後端には電磁クラッチＣ１ｂを介してタイミングプーリＴＰ１が装着されている。電磁クラッチＣ１ｂがオフの状態ではタイミングプーリＴＰ１は回転軸Ａ１ｄに対して回転自由であるが、電磁クラッチＣ１ｂがオンの状態ではタイミングプーリＴＰ１は回転軸Ａ１ｄと一体的に回転する。
【００２６】
図３は本発明の実施例１の送り孔付き連続用紙搬送装置を備えた画像形成装置の要部説明図で、前記図１の可動フレームＫＦおよびトラクタ駆動部材を省略し且つ幅の狭い２枚の連続用紙を並べて搬送する状態の要部正面図、図３Ｂは前記図３Ａの上面図である。
図１、図３において、可動フレームＫＦの前フレームＦ１、後フレームＦ２には搬送用駆動ロールＲ１ａおよび搬送用従動ロールＲ１ｂを有する用紙頭出しロールＲ１が支持されており、搬送用駆動ロールＲ１ａは図示しない駆動装置により正転、逆転可能である。
【００２７】
図３において、トラクタＫ２，Ｋ２は前記トラクタＫ１，Ｋ１と同様に構成されている。すなわち、トラクタＫ２は前記トラクタＫ１と同様の、トラクタフレーム１、軸受２，３、タイミングプーリ４，５およびピンベルト（ピン付き回転体）６を有している。そして、前記トラクタＫ１，Ｋ１が回転軸Ａ１ｄ、固定軸Ａ１ｒに支持されているのと同様の状態でトラクタＫ２，Ｋ２は、回転軸Ａ２ｄ、固定軸Ａ２ｒに支持されている。
【００２８】
すなわち、前記各トラクタＫ２，Ｋ２を支持する固定軸Ａ２ｒの前端部には、前側のトラクタＫ２のタイミングプーリ５と一体的に回転するギヤＧ２ａが設けられており、前記タイミングプーリ５およびギヤＧ２ａは前記固定軸Ａ２ｒに電磁クラッチＣ２ａを介して連結されている。電磁クラッチＣ２ａがオフの状態では、前側のトラクタＫ２のタイミングプーリ５およびギヤＧ２ａは、固定軸Ａ２ｒに対して回転自由であるが、電磁クラッチＣ２ａがオンの状態では、前側のトラクタＫ２のプーリ５およびギヤＧ２ａは、固定軸Ａ２ｒに対して回転不能に連結される。
また、回転軸Ａ２ｄの前端に固定したギヤＧ２ｂは、回転軸Ａ２ｄと一体的に回転する。前記回転軸Ａ２ｄの後端には電磁クラッチＣ２ｂを介してタイミングプーリＴＰ２が装着されている。電磁クラッチＣ２ｂがオフの状態ではタイミングプーリＴＰ２は回転軸Ａ２ｄに対して回転自由であるが、電磁クラッチＣ２ｂがオンの状態ではタイミングプーリＴＰ２は回転軸Ａ２ｄと一体的に回転する。
【００２９】
前記可動フレームＫＦには、正逆回転可能なステッピングモータＭ２と、前記ステッピングモータＭ２の出力軸に装着されたタイミングプーリ１１とを有している。前記タイミングプーリ１１と、前記回転軸Ａ１ｄ，Ａ２ｄ上のタイミングプーリＴＰ１，ＴＰ２とはタイミングベルト１２により連結されている。したがって、ステッピングモータＭ２が回転すると、タイミングプーリ１１、タイミングベルト１２およびタイミングプーリＴＰ１，ＴＰ２が回転する。その状態で、例えば、回転軸Ａ１ｄ上の電磁クラッチＣ１ｂをオンにすると回転軸Ａ１ｄが回転する。また、電磁クラッチＣ１ｂをオフにするとタイミングプーリＴＰ１は回転軸Ａ１ｄ上で自由に回転する。
【００３０】
図４は本発明の実施例１の送り孔付き連続用紙搬送装置を備えた画像形成装置の要部説明図で、前記図１の可動フレームＫＦおよびトラクタ駆動部材を省略し、用紙幅が広く且つ異なる２枚の連続用紙をセットして一方の連続用紙のみを搬送する状態の要部正面図、図４Ｂは前記図４Ａの上面図である。
図４において、トラクタＫ１，Ｋ１により搬送される連続用紙Ｐ３の用紙幅に応じて、前記トラクタＫ１，Ｋ１の位置は前記図３とは異なる位置に配置されている。同様に、トラクタＫ２，Ｋ２により搬送される連続用紙Ｐ４の用紙幅に応じて、前記トラクタＫ２，Ｋ２の位置は図４では前記図３と異なる位置に配置されている。
前記連続用紙Ｐ３およびＰ４の用紙幅は、前記図３の用紙Ｐ１，Ｐ２の用紙幅より大きいので、同時に平行な状態で転写領域Ｑ１を通過しながらトナー像を転写することができない。このため、連続用紙Ｐ３，Ｐ４は、どちらか一枚が搬送されてトナー像が形成される。
【００３１】
前記駆動ロールＲｄの用紙搬送方向下流側には一対の定着ロールＦｈ，Ｆｐ（加熱ロールＦｈおよび加圧ロールＦｐ）を有する定着器Ｆが配置されている。前記転写領域Ｑ１を通過する際に連続用紙Ｐ１〜Ｐ４等に転写されたトナー像は、前記一対の定着ロールＦｈ，Ｆｐの圧接領域である定着領域Ｑ２を通過する際に加熱定着される。トナー像が定着された連続用紙Ｐ１〜Ｐ４は、バックアップ用駆動ロールＲ２ａおよびバックアップ用従動ロールＲ２ｂを有するバックアップロールＲ２（図１参照）を通って排紙トレイＴｈに排出される。
前記トラクタＫ１，Ｋ１，Ｋ２，Ｋ２、頭出しロールＲ１、用紙搬送ベルトＢ、バックアップロールＲ２等により用紙搬送装置ＳＨが構成されている。
【００３２】
前記用紙頭出しローラＲ１の下流側には頭出しセンサＳＮ１，ＳＮ２が配置されており、前記定着器Ｆの用紙搬送方向上流側にはリトラクトセンサＳＮ３が配置されている（図１参照）。なお、頭出しセンサＳＮ１およびＳＮ２は、用紙幅方向に離れて、用紙幅方向中央部の両側に配置されている。すなわち、頭出しセンサＳＮ１は連続用紙Ｐ１，Ｐ３，Ｐ４を検出可能な位置に配置され、頭出しセンサＳＮ２は連続用紙Ｐ２，Ｐ４を検出可能な位置に配置されている。
【００３３】
（実施例１の作用）
（用紙吸入時）
図５は本発明の画像形成装置の実施例１の用紙吸入時の作用説明図である。
（連続用紙Ｐ１のみの吸入時）
図５において、連続用紙Ｐ１を吸入する際には、前記カムＣは前記軸ＫＦｂを上昇させる位置に回動させる。この図１の状態では、前記可動フレームＫＦは前記回動軸ＫＦａ回りに回動して上昇位置に保持されている。また本実施例１では連続用紙吸引時には、一対の定着ロールＦｈ，Ｆｐは離隔しており、バックアップロールＲ２の一対の駆動ロールＲ２ａおよび従動ロールＲ２ｂも離隔している。
【００３４】
その状態で、電磁クラッチＣ１ａ，Ｃ２ｂをオフ、電磁クラッチＣ２ａ，Ｃ１ｂをオンにし、ステッピングモータＭ２をオンにする。このとき、タイミングベルト１２、タイミングプーリＴＰ１およびトラクタＫ１，Ｋ１を介して連続用紙Ｐ１がフィードされる。前記連続用紙Ｐ１が頭出しローラＲ１を通過して頭出しセンサＳＮ１,ＳＮ２を通過後数ステップ搬送された後、ステッピングモータＭ２が停止し、連続用紙Ｐ１も停止する。この連続用紙Ｐ１の停止位置が連続用紙Ｐ１のホームポジションである。
前記連続用紙Ｐ１を吸入する際、前記電磁クラッチＣ２ａがオンとなっているので、ギヤＧ２ａは固定軸Ａ２ｒに固定され、ギヤＧ２ａに噛み合うギヤＧ２ｂおよびギヤＧ２ｂが固定された回転軸Ａ２ｄも回転不能となる。したがって、タイミングベルト１２と共に回転するタイミングプーリＴＰ２は回転軸Ａ２ｄ上で空回りする。このため、回転軸Ａ２ｄおよびトラクタＫ２，Ｋ２は回転しない。
前記連続用紙Ｐ１をホームポジションに停止させた状態で、電磁クラッチＣ１ａをオンにして、トラクタＫ１，Ｋ１の回転位置を保持する。
【００３５】
（連続用紙Ｐ２の吸入時）
前記連続用紙Ｐ１を吸入した後に連続用紙Ｐ２（図３参照）を吸入する際には、電磁クラッチＣ２ａ，Ｃ１ｂをオフにし、電磁クラッチＣ１ａ，Ｃ２ｂをオンにしてステッピングモータＭ２をオンにする。
この場合、連続用紙Ｐ２（図３参照）のみが前記連続用紙Ｐ１と同様に吸引され、その際、連続用紙Ｐ１は停止状態に保持される。
【００３６】
（１枚の連続用紙Ｐ１，Ｐ２のいずれかまたはＰ３，Ｐ４のいずれかに印字する場合の動作）
図６は前記実施例１の画像形成装置において、前記図３の連続用紙Ｐ１または図４の連続用紙Ｐ３のいずれかに印字する場合の動作説明図である。
図６において、一対の定着ロールＦｈ，Ｆｐは圧接状態に保持されているが、バックアップロールＲ２の一対の駆動ロールＲ２ａおよび従動ロールＲ２ｂは離隔している。
前記構成を備えた実施例１の画像形成装置では、前記図３または図４の２枚の連続用紙のうちの、いずれか１枚の連続用紙のみを吸引して他の連続用紙は吸引せずに停止位置に保持した状態で、前記吸引した連続用紙のみを搬送しながら画像記録を行うことができる。
【００３７】
例えば、図３の連続用紙Ｐ１または図４の連続用紙Ｐ３にトナー画像を形成する場合には、電磁クラッチＣ１ａ，Ｃ２ｂをオフにし且つ電磁クラッチＣ１ｂ，Ｃ２ａをオンにした状態でステッピングモータＭ２を回転駆動すると、トラクタＫ２，Ｋ２は停止状態に保持され、トラクタＫ１，Ｋ１の各ピンベルト６が回転して、連続用紙Ｐ１またはＰ３が給紙トレイＴＲ１から取り出されて搬送される。前記連続用紙Ｐ１またはＰ３を搬送しながら、各連続用紙Ｐ１またはＰ３用のトナー画像を感光体ＰＲ表面に同時に形成して、転写領域Ｑ１を通過する連続用紙Ｐ１またはＰ３上に前記トナー画像を同時に転写することができる。
連続用紙Ｐ１またはＰ３上に転写されたトナー像は、加熱ロールＦｈ，加圧ロールＦｐを有する一対の定着ロールＦｈ，Ｆｐの圧接領域である定着領域Ｑ２を通過する際に加熱定着されて、一対のバックアップロールＲｂを通って排紙トレイＴｈに排出される。
【００３８】
（２枚の連続用紙Ｐ１，Ｐ２に同時に印字する場合の動作）
前記構成を備えた実施例１の画像形成装置では、幅の狭い連続用紙Ｐ１，Ｐ２に同時にトナー画像を形成する場合には、図３Ｂに示すように幅の狭い連続用紙Ｐ１，Ｐ２を同時に転写領域を通過するようにセットする。そして、電磁クラッチＣ１ａ，Ｃ２ａをオフにし且つ電磁クラッチＣ１ｂ，Ｃ２ｂをオンにした状態でステッピングモータＭ２を回転駆動すると、トラクタＫ１，Ｋ１およびＫ２，Ｋ２の各ピンベルト６が回転して、連続用紙Ｐ１，Ｐ２が給紙トレイＴＲ１，ＴＲ２から取り出されて搬送される。前記連続用紙Ｐ１，Ｐ２を搬送しながら、各連続用紙Ｐ１，Ｐ２用のトナー画像を感光体ＰＲ表面に同時に形成して、転写領域Ｑ１を通過する連続用紙Ｐ１，Ｐ２上に前記トナー画像を同時に転写することができる。
連続用紙Ｐ１，Ｐ２上に転写されたトナー像は、加熱ロールＦｈ，加圧ロールＦｐを有する一対の定着ロールＦｈ，Ｆｐの圧接領域である定着領域Ｑ２を通過する際に加熱定着されて、一対のバックアップロールＲｂを通って排紙トレイＴｈに排出される。
【００３９】
（印刷停止時の動作）
図７は前記実施例１の印刷停止時の作用説明図である。
例えば、２枚の連続用紙Ｐ１，Ｐ２に同時印刷を行ったり、１枚の連続用紙Ｐ１〜Ｐ４のいずれかに印刷を行ったりした場合、印刷すべき全トナー像が連続用紙に転写された後、ステッピングモータＭ２が停止され、可動フレーム上下動モータＭ１およびカムＣにより可動フレームＫＦは回動軸ＫＦａ回りに下方に回動する。このとき、用紙搬送ベルトＢおよび転写ロールＴｒが感光体ＰＲから離れる。
なお、前記可動フレームＫＦを下方に回動させる直前に、一対の定着ロールＦｈ，Ｆｐを開放して、熱による連続用紙へのダメージを防止し、その代わりにバックアップロールＲ２の一対の駆動ロールＲ２ａおよび従動ロールＲ２ｂを圧接させて用紙の張りを保持させる。
なお、この状態で再度印刷を行う場合は、前記印刷停止時の動作と逆の動作を行う。
【００４０】
（用紙退避）
図８は本発明の画像形成装置の実施例１の用紙退避時の作用説明図である。
（１枚の用紙印刷終了後の用紙切替時の用紙退避）
例えば、前記図３の連続用紙Ｐ１のみに印刷した後に、連続用紙Ｐ２に切り替える場合は、一対の定着ロールＦｈ，Ｆｐ、バックアップロールＲ２の一対のロールＲ２ａ，Ｒ２ｂ、頭出ロールＲ１の一対のロールＲ１ａ，Ｒ１ｂを開放し、可動フレームＫＦを下方に回動させる。
電磁クラッチＣ１ａオフ、Ｃ１ｂオンにして、ステッピングモータＭ２を逆回転し、連続用紙Ｐ１の前端が頭出しセンサＳＮ１,ＳＮ２を通過後、数ステップバックフィードさせて、連続用紙Ｐ１を前記頭出しセンサＳＮ１,ＳＮ２の用紙搬送方向上流側に退避させる。その後、電磁クラッチＣ１ａをオンにしてトラクタＫ１，Ｋ１の回転位置を保持した後、電磁クラッチＣ１ｂをオフにする。
次に、電磁クラッチＣ２ａをオフ、電磁クラッチＣ２ｂをオンにしてトラクタＫ２，Ｋ２により連続用紙Ｐ２を吸入する。
【００４１】
（２枚の用紙に同時印刷した後の１枚の用紙退避）
２枚の連続用紙Ｐ１，Ｐ２への印字が終了して、連続用紙Ｐ１のみを頭出しセンサＳＮ１,ＳＮ２の上流側に退避させる場合、電磁クラッチＣ２ａをオンにして電磁クラッチＣ２ｂをオフにすることにより、トラクタＫ２，Ｋ２を停止させて連続用紙Ｐ２の位置を保持する。また、電磁クラッチＣ１ａをオフにして電磁クラッチＣ１ｂをオンにすることにより、トラクタＫ１，Ｋ１の動作を可能な状態とする。その状態で、ステッピングモータＭ２を逆回転させることにより、連続用紙Ｐ２は停止した状態で、連続用紙Ｐ１のみを、頭出しセンサＳＮ１,ＳＮ２の上流側に退避させる。
【産業上の利用可能性】
【００４２】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更例（Ｈ01）を下記に例示する。
（Ｈ01）本発明は、プリンタ、複写機、ＦＡＸ、複合機等の画像形成装置に適用可能である。また、電子写真方式の画像形成装置だけでなく、インクジェット記録方式の画像形成装置にも適用可能である。
【図面の簡単な説明】
【００４３】
【図１】図１は本発明の実施例１の送り孔付き連続用紙搬送装置を備えた画像形成装置の要部説明図で、図１は可動フレームＫＦが上方位置に移動した状態の要部正面図である。
【図２】図２は前記図１、図３に示すトラクタの説明図で、図２Ａはトラクタにより連続シートを搬送する状態を示す図、図２Ｂは前記図２Ａに示すトラクタの側面図である。
【図３】図３は本発明の実施例１の送り孔付き連続用紙搬送装置を備えた画像形成装置の要部説明図で、前記図１の可動フレームＫＦおよびトラクタ駆動部材を省略し且つ幅の狭い２枚の連続用紙を並べて搬送する状態の要部正面図、図３Ｂは前記図３Ａの上面図である。
【図４】図４は本発明の実施例１の送り孔付き連続用紙搬送装置を備えた画像形成装置の要部説明図で、前記図１の可動フレームＫＦおよびトラクタ駆動部材を省略し、用紙幅が広く且つ異なる２枚の連続用紙をセットして一方の連続用紙のみを搬送する状態の要部正面図、図４Ｂは前記図４Ａの上面図である。
【図５】図５は本発明の画像形成装置の実施例１の用紙吸入時の作用説明図である。
【図６】図６は前記実施例１の画像形成装置において、前記図３の連続用紙Ｐ１または図４の連続用紙Ｐ３のいずれかに印字する場合の動作説明図である。
【図７】図７は前記実施例１の印刷停止時の作用説明図である。
【図８】図８は本発明の画像形成装置の実施例１の用紙退避時の作用説明図である。
【符号の説明】
【００４４】
Ｋ１，Ｋ1…第１トラクタ、
Ｋ２，Ｋ２…第２トラクタ、
Ｐｃ…送り孔、
Ｐ１，Ｐ３…第１連続用紙、
Ｐ２，Ｐ４…第２連続用紙、
Ｑ１…画像記録位置、
ＳＨ…連続用紙搬送装置、
Ｔｈ…排出トレイ、
６ａ…トラクタピン、
【図１】
2006051755.tif 000003
【図２】
2006051755.tif 000004
【図３】
2006051755.tif 000005
【図４】
2006051755.tif 000006
【図５】
2006051755.tif 000007
【図６】
2006051755.tif 000008
【図７】
2006051755.tif 000009
【図８】
2006051755.tif 000010